(57)【要約】【課題】一側に計数標記を有し、密集した実装を数える機能を該計数標記に持たせることができ、テープに並んでいるパッケージユニットの数量が増えて残りの無駄なテープが少なくなるチップ搭載用キャリアテープを提供する。【解決手段】一個のテープ本体２１と、等しいピッチでテープ本体２１上に並び、１つの固定な第一ピッチＬ１を有する複数個のパッケージユニット２２と、等しいピッチで少なくともテープ本体２１の一辺に並び、パッケージユニット２２の外面に位置し、１つの固定な第二ピッチＬ２を有する複数個の計数標記２３と、を備え、長さとして該第一ピッチＬ１は該第二ピッチＬ２の正の整数倍であり、該第二ピッチＬ２の長さは0.50mmから3.97mm程度であることを特徴とする。【選択図】図２
2007095921.tif 000002
【特許請求の範囲】
【請求項１】
ａ）一個のテープ本体と、
ｂ）等しいピッチでテープ本体上に並び、１つの固定な第一ピッチを有する複数個のパッケージユニットと、
ｃ）等しいピッチで少なくともテープ本体の一辺に並び、パッケージユニットの外面に位置し、１つの固定な第二ピッチを有する複数個の計数標記と、を備え、
長さとして該第一ピッチは該第二ピッチの正の整数倍であり、該第二ピッチの長さは0.50mmから3.97mm程度であることを特徴とするチップ搭載用キャリアテープ。
【請求項２】
各パッケージユニットの内に少なくとも１つの基準標記が設置されることを特徴とする請求項１に記載のチップ搭載用キャリアテープ。
【請求項３】
該計数標記は金属パッドで定義されることを特徴とする請求項１に記載のチップ搭載用キャリアテープ。
【請求項４】
該計数標記はソルダマスク層の穴で定義されることを特徴とする請求項１に記載のチップ搭載用キャリアテープ。
【請求項５】
該計数標記は鎖歯ホールで定義されることを特徴とする請求項１に記載のチップ搭載用キャリアテープ。
【請求項６】
該第二ピッチの長さは4.75mmを正の整数で割って得られる値であることを特徴とする請求項１に記載のチップ搭載用キャリアテープ。
【請求項７】
該パッケージユニットはテープキャリアパッケージあるいはチップ−オン−フィルムパッケージに適用されることを特徴とする請求項１に記載のチップ搭載用キャリアテープ。
【発明の詳細な説明】
【技術分野】
【０００１】
本発明はチップ搭載用キャリアテープに関し、特に一側に計数標記を有するチップ搭載用キャリアテープに関する。
【背景技術】
【０００２】
周知のチップ搭載用キャリアテープはリード線パターンを有し、テープキャリアパッケージ(Tape Carrier Package)あるいはチップ−オン−フィルム(Chip-On-Film)パッケージに運用される。テープ両側の鎖歯ホールよりテープが運ばれ、目前4.75mmは鎖歯ホールのピッチの通用規格であり、直接にパッケージ計数としてこの鎖歯ホールを使用すれば必ずテープが残って無駄になってしまう。
【０００３】
図１に示すように、周知のチップ搭載用キャリアテープは一個のテープ本体１１を有し、テープ本体１１内には等しいピッチを持つ複数個のパッケージユニット１２が並んで、該パッケージユニット１２は第一ピッチＰ１を有する。各パッケージユニット１２は１つのチップと接合してチップ実装パッケージ（図面に示していない）になる。テープ本体１１の両辺には等しいピッチを持つ複数個の鎖歯ホール１３が並んで、該鎖歯ホール１３は長さ4.75mmの第二ピッチＰ２を有する。第一ピッチＰ１を第二ピッチＰ２の正の整数倍にすることによって、実装する時に該鎖歯ホール１３に数える機能を持たせることができる。従って、各パッケージユニット１２の長さが約15mmである時、第一ピッチＰ１は第二ピッチＰ２の4倍と設定されるはずであり、即ち19mmである。よって、実装しながらテープが輸送される過程で、毎回第二ピッチＰ２の4倍分のテープを輸送する粗定位をした後、細定位を実施する。例えば、長さ15200mmのテープの各辺は、3200個の鎖歯ホール１３を有し(15200mm・・・・・・・・・・/sprocket hole = 3200 sprocket hole)、800個のパッケージユニット１２を並べることができる。しかしながら、約3200mm程の残りのテープは無駄になってしまう。
特許文献１に一種のチップ搭載用キャリアテープが開示され、そのチップ搭載用キャリアテープでは複数個の回路パターンはテープ上に形成され、且つテープを運ぶため複数個の鎖歯ホールはテープの両辺に設けられる。しかし、該鎖歯ホールのピッチは明確に定義されていない。そして、該鎖歯ホールは計数の機能を持つことも記載されていない。
【０００４】
【特許文献１】台湾特許第４６１，５８５号明細書
【発明の開示】
【発明が解決しようとする課題】
【０００５】
本発明の主な目的は、一側に計数標記(counting mark)を有するチップ搭載用キャリアテープを提供することにある。該テープ本体には複数個のパッケージユニット及び複数個の計数標記が並んで、該パッケージユニットは１つの固定な第一ピッチを有し、該計数標記は該パッケージユニットの外面且つ少なくともテープ本体の一辺に位置して、１つの固定な第二ピッチを有する。長さにおいて、該第一ピッチは該第二ピッチの正の整数倍となり、該第二ピッチの長さは0.50から3.97mmであるので、密集した実装を数える機能を該計数標記に持たせることができる。それ故に、該テープに並んでいるパッケージユニットの数量が増えて残りのテープは少なくなる。
【０００６】
本発明の他の目的は、一側に計数標記を有するチップ搭載用キャリアテープを提供することにある。該テープの両辺に位置する複数個の計数標記を金属パッドやソルダマスク層(solder mask layer)の穴で定義することができるため、該計数標記のピッチを長さ0.5mmから3.97mmまで短縮させることによって、テープキャリアパッケージ(Tape Carrier Package)あるいはチップ−オン−フィルム(Chip-On-Film)パッケージにとって安いコストの粗定位が得られる。
【課題を解決するための手段】
【０００７】
本発明のチップ搭載用キャリアテープは、一個のテープ本体、複数個のパッケージユニット及び複数個の計数標記を有する。該パッケージユニットと該計数標記は該テープ本体上に並んで、該計数標記は少なくともテープ本体の一辺に並んで、パッケージユニットの外面に位置する。該パッケージユニットは固定な第一ピッチを、該計数標記は固定な第二ピッチをそれぞれ持つが、長さとして該第一ピッチは該第二ピッチの正の整数倍であり、該第二ピッチの長さは0.50mmから3.97mm程度である。該第二ピッチの好ましい長さは4.75mmを正の整数で割って得られる値であり、周知のテープ輸送ユニットを共用することにより、該テープ上に並ぶパッケージユニットの数量を増やすことができ、無駄にする残りのテープを減少できる。
【発明を実施するための最良の形態】
【０００８】
以下、図面を参照して、本発明の実施例を説明する。
図２に示すように、チップ搭載用キャリアテープは、一個のテープ本体２１、複数個のパッケージユニット２２及び複数個の計数標記２３を有する。該パッケージユニット２２はリード線で構成され、１つのチップ（図面に示していない）と接合し、テープキャリアパッケージ(Tape Carrier Package)やチップ−オン−フィルム(Chip-On-Film)パッケージへの適用性が良好である。該パッケージユニット２２は等しいピッチで該テープ本体２１上に並んで、１つの固定な第一ピッチＬ１を有する。また、該計数標記２３も等しいピッチで少なくともテープ本体２１の一辺に並んで、パッケージユニット２２の外面に位置し、更に該テープ本体２１の一辺あるいは両辺に並ぶことができる。該計数標記２３も１つの固定な第二ピッチＬ２を有し、長さとして該第一ピッチＬ１は該第二ピッチＬ２の正の整数倍であり、該第二ピッチＬ２の長さは0.50mmから3.97mm程度である。よって、密集したパッケージを数える機能を該計数標記２３に持たせることができ、該テープに並ぶパッケージユニット２２の数を増加でき、残りのテープを少ないようにすることができる。故に、該テープにとって実装過程中で該計数標記２３は計数用と粗定位用となり、また、各パッケージユニット２２の内に少なくとも１つの基準標記２４(fiducial mark)を細定位用として設置し得る。
【０００９】
金属パッドやソルダマスク層(solder mask layer)の穴で該計数標記２３を定義することができ、そして、鎖歯ホールを使っても該計数標記２３を定義することができる。該第二ピッチＬ２の好ましい長さは4.75mmを正の整数で割って得られる値である故、ピッチ長さ4.75mmの鎖歯ホールを持つ周知のテープ輸送ユニットを共用してテープを運ぶことができる。例えば、該第二ピッチＬ２の長さは4.75mmを2で割って2.375mmとなる。
【００１０】
例えば、上記長さ15200mmのチップ搭載用キャリアテープ上に長さ15mmのパッケージユニット１２、２２が並んで、テープの両辺には対等な計数穴２３が配列され、一辺は6400個の計数穴２３を有する。第一ピッチＬ１の長さは、7個の第二ピッチＬ２の長さと等しいように設定され、即ち16.625mmである。よって、より密集して914個まで並ぶパッケージユニット２２は周知の800個のパッケージユニット１２より数量が多くなる。また、概算して、無駄な残りのテープは約1490mmであり、周知の3200mmより少なくなる。故に、テープの使用効率は大幅に上昇し、各パッケージユニットに使うテープのコストは低下する。
本発明の保護範囲は特許請求の範囲で限定されて、この保護範囲に基づいて、本発明の精神と範囲内に触れるどんな変更や修正も本発明の保護範囲に属する。
【図面の簡単な説明】
【００１１】
【図１】周知のチップ搭載用キャリアテープの一部分を示す模式図である。
【図２】本発明の実施例によるチップ搭載用キャリアテープの一部分を示す模式図である。
【符号の説明】
【００１２】
１１  テープ本体、１２  パッケージユニット、１３  鎖歯ホール、２１  テープ本体、２２  パッケージユニット、２３  計数標記、２４  基準標記、Ｌ１  第一ピッチ、Ｌ２  第二ピッチ、Ｐ１  第一ピッチ、Ｐ２  第二ピッチ
【図１】
2007095921.tif 000003
【図２】
2007095921.tif 000004